(57)【特許請求の範囲】
【請求項１】
内容物が収容される容器本体と、
該容器本体の口部を塞ぐ天面部を有するとともに、前記容器本体内に挿入可能な塗布具を有する蓋体と、
を備えた塗布具付き容器であって、
前記蓋体は、前記天面部が前記容器本体と一体に形成されるとともに該容器本体の前記口部に対して破断可能な弱化部を介して連結され、前記塗布具が前記容器本体側の内側に一体的に突設され、
前記天面部は、前記容器本体の中心軸線をなす容器軸に直交する直交面に対して傾斜した状態で前記弱化部を介して前記口部に連結されていることを特徴とする塗布具付き容器。
【請求項２】
前記口部の開口面は、前記直交面に対して傾斜していることを特徴とする請求項１に記載の塗布具付き容器。
【請求項３】
前記蓋体には、操作部が設けられ、
該操作部は、前記容器本体の径方向の外側に向けて突出するとともに、底部側に向けて延びる引掛け部が設けられていることを特徴とする請求項１又は２に記載の塗布具付き容器。
【発明の詳細な説明】
【技術分野】
【０００１】
本発明は、塗布具付き容器に関するものである。
【背景技術】
【０００２】
塗布具を備えた容器として、従来、例えば下記特許文献１に示されているような、液状化粧品を充填させた容器本体と、該容器本体の口部に配設されたブラシ状の塗布具と、を備え、容器本体を外側から押圧して適量の液状化粧品を内容物注出管を通して塗布具に注出させ、この塗布具に付着した液状化粧品を所望の箇所に塗布可能な容器が知られている。さらにこの容器では、不使用時において塗布具に被着させておくことが可能な蓋体が容器本体と一体成形されていて、この蓋体を容器本体に対して切り離すことで開封される。
【先行技術文献】
【特許文献】
【０００３】
【特許文献１】実用新案登録第２５６８９９２号公報
【発明の概要】
【発明が解決しようとする課題】
【０００４】
しかしながら、上述した特許文献１の塗布具付き容器では、容器本体と蓋体とが一体に成形されているが、蓋体と塗布具とが別体であり、蓋体と一体成形した容器本体に対して塗布具を組み付けている。そのため、塗布具の組み付けに手間がかかるという問題があるうえ、複数種の金型が必要となることから、製造コストが高くなるおそれがあった。
【０００５】
本発明は、このような事情に鑑みてなされたものであって、容器本体、蓋体、及び塗布具を一体的に成形することで、組み付けにかかる手間を減少させることができ、製造コストの低減を図ることができる塗布具付き容器を提供することを目的とする。
【課題を解決するための手段】
【０００６】
上記の目的を達成するために、この発明は以下の手段を提供している。
本発明に係る塗布具付き容器は、内容物が収容される容器本体と、該容器本体の口部を塞ぐ天面部を有するとともに、前記容器本体内に挿入可能な塗布具を有する蓋体と、を備えた塗布具付き容器であって、前記蓋体は、前記天面部が前記容器本体と一体に形成されるとともに該容器本体の前記口部に対して破断可能な弱化部を介して連結され、前記塗布具が前記容器本体側の内側に一体的に突設され、前記天面部は、前記容器本体の中心軸線をなす容器軸に直交する直交面に対して傾斜した状態で前記弱化部を介して前記口部に連結されていることを特徴としている。
【０００７】
本発明に係る塗布具付き容器によれば、蓋体を容器本体に対して例えば回転させたり、傾けたり、引っ張ること等により弱化部を破断して蓋体を容器本体から離脱させることで、容器本体が開封される。このとき、蓋体には一体的に塗布具が設けられているので、容器本体内の内容物を塗布具に付着させ、その付着した内容物を塗布具によって所望の箇所に塗布することができる。そして、開封後においても塗布具を容器本体内に対して挿脱することで、繰り返し容器本体内の内容物を塗布することができる。
また、製造時においては、容器本体、蓋体、及び塗布具を一体的に成形することが可能となるので、例えば蓋体や容器本体とは別に塗布具を製造した後にそれらを組み付ける等のような組み付け工程を排除することができ、組み付けにかかる手間を減少させることができる。そのうえ、成形時の金型の種類を減らすことが可能となるので、製造コストを抑えることができる。
【０００８】
また、上記本発明の塗布具付き容器において、前記口部の開口面は、前記直交面に対して傾斜していることが好ましい。
【０００９】
この場合には、口部の開口面が直交面に対して傾斜しており、容器軸に対して直交する方向となる場合に比べて開口面積が大きくなるため、塗布具を容器本体内に容易に挿脱させることができる。
【００１０】
また、上記本発明の塗布具付き容器において、前記蓋体には、操作部が設けられ、該操作部は、前記容器本体の径方向の外側に向けて突出するとともに、底部側に向けて延びる引掛け部が設けられていることが好ましい。
【００１１】
この場合には、弱化部を破断させ口部を開口させた後に、口部の開口端縁に操作部の引掛け部を引っ掛けることができる。そのため、容器本体の開封後に塗布具の使用を一時的に止める場合には、蓋体を容器本体に係止させることにより、例えば塗布具を容器本体内に挿入させた状態で置いておくこと等ができる。
【発明の効果】
【００１２】
本発明に係る塗布具付き容器によれば、容器本体、蓋体、及び塗布具を一体的に成形することで、組み付けにかかる手間を減少させることができ、金型の種類を減らして製造コストの低減を図ることができる。
【図面の簡単な説明】
【００１３】
【図１】本発明の第１の実施形態による容器の構成を示す縦断面図である。
【図２】図１に示す容器の上面図である。
【図３】図１に示す容器において、蓋体を容器本体から切り離した状態を示す縦断面図である。
【図４】本発明の第２の実施形態による容器の構成を示す縦断面図である。
【図５】図４に示す容器の上面図である。
【図６】図４に示す容器において、蓋体を容器本体から切り離した状態を示す縦断面図である。
【図７】本発明の第３の実施形態による容器の構成を示す縦断面図である。
【図８】図７に示す容器の上面図である。
【図９】図７に示す容器において、蓋体を容器本体から切り離した状態を示す縦断面図である。
【図１０】本発明の他の実施形態による容器の構成を示す縦断面図である。
【図１１】容器本体から切り離した図１０に示す蓋体の天面部を反転変形させて塗布具の先端を集束させた状態の縦断面図である。
【図１２】本発明の他の実施形態による容器の構成を示す縦断面図である。
【発明を実施するための形態】
【００１４】
以下、本発明に係る塗布具付き容器の実施形態について図面を参照して説明する。
【００１５】
（第１の実施形態）
図１及び図２に示すように、本実施形態の容器１は、内容物Ｎが収容される容器本体２と、容器本体２の口部２０を塞ぐとともに、容器本体２内に挿入可能なブラシ状の塗布具４を有する蓋体３と、を備えている。
【００１６】
なお、上述した容器本体２及び蓋体３は、それぞれの中心軸線が共通軸上に位置された状態で配設されている。本実施形態ではこの共通軸を容器軸Ｏといい、上記容器１において、容器軸Ｏ方向に沿った蓋体３側を上側、容器本体２側を下側という。また、容器軸Ｏに直交する方向を径方向といい、容器軸Ｏ回りに周回する方向を周方向という。
【００１７】
容器本体２は、上端開口が前記口部２０とされ、且つ下端開口２ｂがフィルム５によって封止された筒状の本体部２１を備えている。口部２０の内径は、本体部２１のうち口部２０より下方に位置する部分の内径より小さくなっている。本体部２１には、下端縁から径方向の外側に向けて突出するフランジ状の底縁部２２が全周にわたって形成されている。
【００１８】
蓋体３は、口部２０の開口を塞ぐ平板状の天面部３０と、天面部３０の外周部３０ａから上方に向けて突出する操作部３１と、を有している。天面部３０には、塗布具４が下側（容器本体２側の内側）に向けて一体的に突設されている。塗布具４の下方に向けた天面部３０からの突出量は、塗布具４の全域にわたって同等になっている。操作部３１の上端には、径方向の内側に向けて突出する摘み部３１ａが配設されている。摘み部３１ａは、容器軸Ｏ方向に貫通するリング状に形成されている。摘み部３１ａは、容器本体２よりも径方向の内側に位置している。
【００１９】
蓋体３は、天面部３０の外周部３０ａと、容器本体２の口部２０と、の間を密封する破断可能な弱化部６を介して容器本体２に連結されている。この弱化部６は、口部２０の開口縁に沿って全周にわたって連続して延設されており、下面側が窪んだ薄肉に形成されていて、蓋体３を容器本体２に対して例えば周方向に回転させたり、傾けたり、引っ張ること等で容易に破断できるようになっている。つまり、製造時の状態で容器本体２は弱化部６を介して蓋体３に一体成形されており、弱化部６を破断させることで蓋体３を容器本体２から離脱させることができる。
【００２０】
ここで、弱化部６を介して一体的に成形される容器本体２、蓋体３、及び塗布具４は、例えば射出成形等により製造される。そして、この成形体を容器本体２の下端開口２ｂが上方を向くように逆立姿勢にした状態で容器本体２内に内容物Ｎを充填した後、フィルム５の周縁部５ａ全周を底縁部２２に溶着等により固着させて容器本体２内を封止することにより製造される。
【００２１】
次に、上述したように構成された容器１の作用について説明する。
図１及び図３に示すように、容器１では、蓋体３を容器本体２に対して例えば回転させたり、傾けたり、引っ張ること等により弱化部６を破断して蓋体３を容器本体２から離脱させることで、容器本体２が開封される。このとき、蓋体３には一体的に塗布具４が設けられているので、容器本体２内の内容物Ｎを塗布具４に付着させ、操作部３１を持って塗布具４に付着した内容物Ｎを所望の箇所に塗布することができる。そして、開封後においても塗布具４を容器本体２内に対して挿脱することで、繰り返し容器本体２内の内容物Ｎを塗布することができる。
【００２２】
また、製造時においては、容器本体２、蓋体３、及び塗布具４を一体的に成形することが可能となるので、例えば蓋体３や容器本体２とは別に塗布具４を製造した後にそれらを組み付ける等のような組み付け工程を排除することができ、組み付けにかかる手間を減少させることができる。そのうえ、成形時の金型の種類を減らすことが可能となるので、製造コストを抑えることができる。
【００２３】
次に、本発明の他の実施形態について、図面に基づいて説明するが、上述の第１の実施形態と同一又は同様な部材、部分には同一の符号を用いて説明を省略し、異なる構成についてのみ説明する。
【００２４】
（第２の実施形態）
図４及び図５に示すように、本実施形態による容器１Ａは、容器軸Ｏと同軸に配設される口部２０Ａの開口面が容器軸Ｏに直交する直交面に対して傾斜している。蓋体３Ａの天面部３０Ａも、前記直交面に対して傾斜した状態で弱化部６を介して口部２０Ａに連結されている。蓋体３Ａの操作部３１Ａは、天面部３０Ａの外周部３０ａから上方に向けて突出し、その上端部には径方向の外側に向けて突出する摘み部３１ｂが配設されている。
【００２５】
天面部３０Ａの下面側には、ブラシ状の塗布具４が一体的に突設されている。塗布具４の下方に向けた天面部３０Ａからの突出量は、塗布具４の全域にわたって同等になっている。本体部２１Ａの下端開口２ｂは、フィルム５によって封止されている。
【００２６】
このように、本実施形態による容器１Ａでは、上述した第１の実施形態の作用効果に加え、図６に示すように、口部２０Ａの開口面が容器軸Ｏに直交する直交面に対して傾斜しており、容器軸Ｏに対して直交する方向となる場合に比べて開口面積が大きくなるため、塗布具４を容器本体２Ａ内に容易に挿脱させることができる。
【００２７】
（第３の実施形態）
図７及び図８に示すように、本実施形態による容器１Ｂは、上述した第２の実施形態による容器１Ａにおいて、操作部３１の形状を変えた変形例である。つまり、操作部３１Ｂは、容器本体２Ｂの径方向の外側に向けて突出するとともに、下側に向けて延びる引掛け部３１ｃが設けられた構成となっている。引掛け部３１ｃの長さ寸法は、図９に示すように、蓋体３Ｂが容器本体２Ｂから切り離された状態で、引掛け部３１ｃを開口端縁２ａに引っ掛けたときに、引掛け部３１ｃの下端が容器１Ｂの載置面に接触しない長さ寸法となっている。
【００２８】
このように、本実施形態による容器１Ｂでは、図９に示すように、蓋体３Ｂを容器本体２Ｂより破断させ口部２０Ｂを開口させた後に、口部２０Ｂの開口端縁２ａに操作部３１Ｂの引掛け部３１ｃを引っ掛けることができる。そのため、容器本体２Ｂの開封後に塗布具４の使用を一時的に止める場合には、蓋体３Ｂを容器本体２Ｂに係止させることにより、例えば塗布具４を容器本体２Ｂ内に挿入させた状態で置いておくこと等ができる。
また、前記引掛け部３１ｃを第１および第２の実施形態に設けることもでき、この場合は操作部における摘み部より下方の位置に配置することが好ましい。
【００２９】
なお、本発明の技術範囲は、上記実施形態に限定されるものではなく、本発明の趣旨を逸脱しない範囲において、種々の変更を加えることが可能である。
【００３０】
例えば、本実施形態のブラシ状の塗布具４では、平面状の天面部３０に対して一体的に設けているが、これに限定されることはない。例えば、図１０に示す容器１Ｃでは、天面部３０Ｃを下方に向けて突となる突曲面状となるように湾曲させた状態で製造した構成となっている。そして、塗布具４は、容器軸Ｏ方向に沿って延在している。容器本体２Ｃから蓋体３Ｃを切り離して内容物Ｎを塗布具４を用いて被塗布部に塗布するに際し、天面部３０Ｃを前述のように湾曲させたままの状態では、ブラシ先端４ａの配置間隔を広く確保できるので、被塗布部の広範囲に塗布することができる。一方、図１１に示すように、天面部３０Ｃを下面側が凹曲面となるように反転変形させると、ブラシ先端４ａが集束してその配置間隔が狭くなるので、被塗布部の狭い箇所（ピンポイント）に塗布することができる。
なお、図１０に示す容器に代えて図１２に示されるような塗布具４が上方から下方に向かうにしたがい漸次、拡散するように放射状に延在させてもよい。
この場合には、第１の実施形態における天面部を、成形後に下方に向けて突となる突曲面状となるように変形可能な構造とすることが好ましい。
【００３１】
また、本実施形態では塗布具としてブラシ状のものを対象としているが、これに制限されることはなく、ヘラ状や櫛状のもの、或いはさじ状のものであってもかまわない。
前記各実施形態において、容器本体の下端開口部はフィルムで閉塞されているが、これに変えて、チューブ容器のように前記下端開口部を挟持するように対向面を接着（熱溶着など）して閉塞してもよい。
【００３２】
さらに、容器本体、蓋体、及び操作部の形状についても本実施形態に制限されることはなく、内容物の種類、その収容量、用途などの条件に応じて適宜変更することができる。
さらにまた、蓋体の操作部は、省略することも可能である。
【００３３】
その他、本発明の趣旨を逸脱しない範囲で、上記した実施形態における構成要素を周知の構成要素に置き換えることは適宜可能であり、また、上記した実施形態を適宜組み合わせてもよい。
【産業上の利用可能性】
【００３４】
試供サンプル容器などに好適に使用される。
【符号の説明】
【００３５】
１、１Ａ、１Ｂ、１Ｃ  容器（塗布具付き容器）
２、２Ａ、２Ｂ  容器本体
２ａ  開口端縁
３、３Ａ、３Ｂ、３Ｃ  蓋体
４  塗布具
５  フィルム
６  弱化部
２０、２０Ａ、２０Ｂ  口部
２１、２１Ａ  本体部
３０、３０Ａ、３０Ｂ、３０Ｃ  天面部
３１、３１Ａ、３１Ｂ  操作部
３１ａ、３１ｂ  摘み部
３１ｃ  引掛け部
Ｏ  容器軸
【図１】
0005783782.tif 000002
【図２】
0005783782.tif 000003
【図３】
0005783782.tif 000004
【図４】
0005783782.tif 000005
【図５】
0005783782.tif 000006
【図６】
0005783782.tif 000007
【図７】
0005783782.tif 000008
【図８】
0005783782.tif 000009
【図９】
0005783782.tif 000010
【図１０】
0005783782.tif 000011
【図１１】
0005783782.tif 000012
【図１２】
0005783782.tif 000013